(57)【要約】【課題】洗浄性能が高まり、部屋の意匠性が良好な洗浄装置を提供する。【解決手段】洗浄装置１は、部屋の壁側に設けられて収納空間１６を形成し、開口部１２を有するカバー１０と、収納空間１６に収納され、水を吐出する吐出部２５を有し、開口部１２を通ってカバー１０の外部に露出するノズル２０と、を備え、ノズル２０は、その位置が変更自在に支持されている。【選択図】図３
2016083620.tif 000002
【特許請求の範囲】
【請求項１】
部屋の壁側に設けられて収納空間を形成し、開口部を有するカバーと、
前記収納空間に収納され、水を吐出する吐出部を有し、前記開口部を通って前記カバーの外部に露出するノズルと、を備え、
前記ノズルは、
その位置が変更自在に支持されている洗浄装置。
【請求項２】
前記カバーは、
前記開口部を開閉するカバー扉を有し、
前記ノズルは、
前記カバー扉が開かれて、前記開口部を通って前記カバーの外部に露出するものである請求項１記載の洗浄装置。
【請求項３】
前記ノズルは、
基部と、
前記基部に設けられ、前記吐出部を有する吐出体と、を有する請求項１又は２記載の洗浄装置。
【請求項４】
前記基部は、
基軸と、
前記基軸に対し回転自在に設けられ、先端部に前記吐出体が設けられた基管と、を有する請求項３記載の洗浄装置。
【請求項５】
前記基部は、
前記部屋の壁側に対し回転自在に設けられた基軸と、
前記基軸に設けられ、前記基軸の回転に伴って回転し、先端部に前記吐出体が設けられた基管と、を有する請求項３記載の洗浄装置。
【請求項６】
前記吐出体は、前記基部に対し回転自在に設けられている請求項３〜５のいずれか１項に記載の洗浄装置。
【請求項７】
前記吐出体は、
両端部に水を噴出する噴出部を有する筒状の部材から構成され、中央部が前記基部に取り付けられるものであり、前記噴出部からの水の噴出で回転するものである請求項６記載の洗浄装置。
【請求項８】
前記吐出体は、
複数の前記吐出部を有しており、
複数の前記吐出部は、前記吐出体における中央部に対し非対称に設けられている請求項３〜７のいずれか１項に記載の洗浄装置。
【請求項９】
前記吐出体は、
複数の前記吐出部を有しており、
複数の前記吐出部は、前記吐出体における中央部から両端部に配置されるに従って、吐出角度が外側に広がっている請求項３〜８のいずれか１項に記載の洗浄装置。
【請求項１０】
前記吐出部は、
洗浄剤を吐出するものである請求項１〜９のいずれか１項に記載の洗浄装置。
【請求項１１】
液体を霧化する超音波振動子を更に備え、
前記超音波振動子は、洗浄剤を霧化する請求項１〜１０のいずれか１項に記載の洗浄装置。
【請求項１２】
オゾン水又は電解水が、洗浄剤として用いられる請求項１〜１１のいずれか１項に記載の洗浄装置。
【請求項１３】
前記水の圧力を高めるポンプを更に備える請求項１〜１２のいずれか１項に記載の洗浄装置。
【請求項１４】
前記ノズルの操作を受け付ける操作部が部屋の外に設けられている請求項１〜１３のいずれか１項に記載の洗浄装置。
【請求項１５】
前記ノズルの操作が行われる場合、前記ノズルの操作が行われる旨を報知する報知部が前記操作部に設けられている請求項１４記載の洗浄装置。
【請求項１６】
前記水は、温水である請求項１〜１５のいずれか１項に記載の洗浄装置。
【請求項１７】
前記ノズルの動作を制御する制御部を更に備える請求項１〜１６のいずれか１項に記載の洗浄装置。
【請求項１８】
前記部屋の窓又は扉の開閉を検知する開閉検知部を更に備え、
前記制御部は、
前記開閉検知部において前記窓又は前記扉が閉じていることが検知された場合、前記吐出部から前記水が吐出されることを許容するものである請求項１７記載の洗浄装置。
【請求項１９】
前記制御部は、
前記開閉検知部において前記窓又は前記扉が開いていることが検知された場合、前記吐出部から前記水が吐出されることを停止するものである請求項１８記載の洗浄装置。
【請求項２０】
前記部屋に人がいることを検知する人検知部を更に備え、
前記制御部は、
前記人検知部において前記部屋に人がいることが検知された場合、前記吐出部から前記水が吐出されることを停止するものである請求項１７〜１９のいずれか１項に記載の洗浄装置。
【請求項２１】
前記部屋の照明の点灯又は消灯を検知する点灯検知部を更に備え、
前記制御部は、
前記点灯検知部において前記照明が消灯していることが検知された場合、前記吐出部から前記水が吐出されることを許容するものである請求項１７〜２０のいずれか１項に記載の洗浄装置。
【発明の詳細な説明】
【技術分野】
【０００１】
本発明は、浴室等を洗浄する洗浄装置に関する。
【背景技術】
【０００２】
従来より、浴室を乾燥する浴室乾燥装置において、浴室洗浄機能を付加し、ユーザの浴室洗浄の作業を軽減しようとする技術が提案されている（特許文献１参照）。特許文献１には、天井に設けられた化粧カバーから露出した洗浄水吐出ノズルを備える浴室乾燥装置が開示されている。
【先行技術文献】
【特許文献】
【０００３】
【特許文献１】特開２００２−８１８６１号公報（請求項１、段落００２０）
【発明の概要】
【発明が解決しようとする課題】
【０００４】
しかしながら、特許文献１に開示された浴室乾燥装置は、洗浄水吐出ノズルが設けられた化粧カバーが移動しないため、洗浄水吐出ノズルの吐出方向が変化しない。このため、洗浄水吐出ノズルは、浴室全体に洗浄水を散布することができない。また、洗浄水吐出ノズルの吐出方向が一定であるため、浴室における着水点が固定され、淀み等が発生する。このため、浴室を洗浄する性能が不十分である。更に、洗浄水吐出ノズルは、化粧カバーから露出しているため、浴室の意匠性が損なわれる。
【０００５】
本発明は、上記のような課題を背景としてなされたもので、洗浄性能が高まり、部屋の意匠性が良好な洗浄装置を提供するものである。
【課題を解決するための手段】
【０００６】
本発明に係る洗浄装置は、部屋の壁側に設けられて収納空間を形成し、開口部を有するカバーと、収納空間に収納され、水を吐出する吐出部を有し、開口部を通ってカバーの外部に露出するノズルと、を備え、ノズルは、その位置が変更自在に支持されている。
【発明の効果】
【０００７】
本発明によれば、ノズルは、収納空間から開口部を通ってカバーの外部に露出する。このため、洗浄性能を高めることができ、部屋の意匠性を損なわない。
【図面の簡単な説明】
【０００８】
【図１】本発明の実施の形態１における浴室２の外観を示す斜視図である。
【図２】本発明の実施の形態１における浴室２の内観を示す斜視図である。
【図３】本発明の実施の形態１における浴室２の内観を示す斜視図である。
【図４】本発明の実施の形態１におけるカバー１０を示す斜視図である。
【図５】本発明の実施の形態１におけるカバー１０を示す斜視図である。
【図６】本発明の実施の形態１におけるノズル２０を示す斜視図である。
【図７】本発明の実施の形態１におけるノズル２０を示す断面図である。
【図８】本発明の実施の形態１における吐出部２５を示す斜視図である。
【図９】本発明の実施の形態１におけるノズル２０及び筐体３０を示す斜視図である。
【図１０】本発明の実施の形態１におけるノズル２０及び筐体３０を示す斜視図である。
【図１１】本発明の実施の形態１における制御部５０を示すブロック図である。
【図１２】本発明の実施の形態１に係る洗浄装置１の動作を示すフローチャートである。
【発明を実施するための形態】
【０００９】
以下、本発明に係る洗浄装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１における浴室２の外観を示す斜視図である。図１に示すように、部屋、例えば浴室２は、直方体状のユニットバスであり、壁５には、窓２ａが設けられており、窓２ａの近傍には、窓２ａの開閉を検知する開閉検知部５１が設けられている。また、壁５には、入退室時に開閉される扉２ｂが設置されており、扉２ｂの上部には、扉２ｂの開閉を検知する開閉検知部５１が設けられている。また、浴室２の外側において、扉２ｂが設置された壁５には、浴室２に設けられた各機器の操作を受け付ける操作部６が設けられている。このように、操作部６は浴室２の外側に設けられているため、浴室２の洗浄動作を、浴室２の外から操作することができる。このため、浴室２の洗浄時に、人が浴室２に入室する必要がない。また、操作部６は浴室２の外に設けられているため、ユーザの利便性が向上する。
【００１１】
また、操作部６には、機器の操作が行われる場合、機器の操作が行われる旨を報知する報知部７が設けられている。これにより、浴室２の洗浄時等に浴室２に人が立ち入ることを抑制し、また、浴室２の洗浄時等に浴室２から人が退室することを促すことができる。なお、報知部７は、例えばスピーカ又は液晶表示装置等である。そして、天井３には、内部に機器等が収納された筐体３０が取り付けられており、筐体３０の排気口３５には、排気用ダクト配管３６が設けられている。なお、筐体３０には、浴室２に温風等を送る送風機（図示せず）が設けられている。
【００１２】
図２は、本発明の実施の形態１における浴室２の内観を示す斜視図であり、浴室２の内観を床下側からみた図である。なお、図２では、２方の壁が省略されている。図２に示すように、床４には、浴槽２ｄが設置されている。また、扉２ｂの上部には、人がいることを検知する人検知部５２が設けられている。人検知部５２は、赤外線センサとしてもよいし、カメラとしてもよい。また、壁５には、照明２ｃが設置されている。そして、照明２ｃの近傍には、照明２ｃの点灯又は消灯を検知する点灯検知部５３が設けられている。
【００１３】
また、部屋の壁側には、洗浄装置１におけるカバー１０が設けられている。本実施の形態１においては、カバー１０は、天井３に取り付けられているが、天井３に設けられた筐体３０に取り付けられてもよい。この場合、筐体３０とカバー１０とを係合する係合部を設けることによって、カバー１０を容易に取り付けることができる。また、カバー１０を天井３に取り付ける場合に比べて、施工を省力化することができる。
【００１４】
カバー１０は、一辺が折り曲げられた矩形状をなしており、折り曲げ部１１の端部１１ａが天井３に接触して取り付けられている。これにより、収納空間１６が形成される。なお、本発明において、天井３とは、壁に包含される概念であり、カバー１０は、壁に取り付けられている。また、カバー１０の折り曲げ部１１には、浴室２を暖房又は乾燥するための温風、ミストサウナ用のミスト等を吹き出す吹出口１４が設けられている。なお、吹出口１４からは、洗浄剤も吹き出される。この場合、洗浄剤は例えば液体とされ、霧化される。霧化された洗浄剤は、送風機によって送風される。温風、ミスト又は洗浄剤等は、夫々独立した配管を流通するように構成されており、例えば洗浄剤が送風される場合、温風及びミストの配管は閉じている。また、カバー１０には、Ｔ字状の開口部１２が設けられており、また、開口部１２を開閉するカバー扉１３が取り付けられている。カバー扉１３は、２個の板状部材であり、Ｔ字状の開口部１２に沿って、設けられている。
【００１５】
図３は、本発明の実施の形態１における浴室２の内観を示す斜視図であり、浴室２の内観を床下側からみた図である。なお、図３では、２方の壁が省略されている。図３に示すように、洗浄装置１は、ノズル２０を有している。ノズル２０は、収納空間１６に収納されており、例えば洗浄時にカバー扉１３が開かれて、開口部１２を通ってカバー１０の外部に露出するものである。そして、ノズル２０は、当該位置が変更自在に支持されている。
【００１６】
次に、カバー１０について詳細に説明する。図４、図５は、本発明の実施の形態１におけるカバー１０を示す斜視図であり、カバー１０を天井３側からみた図である。また、図４は、カバー扉１３が閉じている図、図５は、カバー扉１３が開いている図である。図４に示すように、カバー１０の折り曲げ部１１にはダクト１５が設けられており、ダクト１５の先端は吹出口１４となっており、基端は天井３に接続されている。これにより、温風、ミスト又は洗浄剤等は、ダクト１５を通って、吹出口１４から吹き出される。
【００１７】
また、図４に示すように、ノズル２０（図４では図示せず）が収納空間１６に収納されている場合等において、カバー扉１３は閉じている。これにより、浴室２側からは、収納空間１６が視認できない。一方、図５に示すように、ノズル２０（図５では図示せず）がカバー１０の外部に露出する場合等において、カバー扉１３は開いている。これにより、収納空間１６に収納されたノズル２０が開口部１２を通って、カバー１０の外部に露出することが許容される。なお、カバー扉１３には、例えば１個のモータ（図示せず）が設けられており、モータが駆動することによって、２個のカバー扉１３が連動して開く。
【００１８】
次にノズル２０について詳細に説明する。図６は、本発明の実施の形態１におけるノズル２０を示す斜視図、図７は、本発明の実施の形態１におけるノズル２０を示す断面図である。図６、図７に示すように、ノズル２０は、基部２１と、基部２１に設けられ、水を吐出する吐出部２５を有する吐出体２４とを備えている。また、基部２１は、基軸２２と、基軸２２に対し回転自在に設けられ、先端部に吐出体２４が設けられた基管２３とを備えている。
【００１９】
基軸２２は、棒状の部材であり、両端部が、筐体３０の側壁３０ａに固定されている（図９参照）。基管２３は、基軸２２に対し垂直に延びる棒状の部材であり、基端部が、筐体３０の底壁３０ｂのノズル開口３２に挿入されて、筐体３０の内部に設けられた給水部３７（図示せず）に接続されている（図９参照）。前述の如く、基管２３は、基軸２２に対し回転自在に設けられており、任意の角度で静止することが可能である。また、基管２３の先端部には、吐出体２４が設けられている。このように、本実施の形態１においては、基部２１は、基軸２２と、基軸２２に対し回転自在に設けられた基管２３とを備え、基軸２２は、両端部が筐体３０の側壁３０ａに固定されている。
【００２０】
なお、基部２１は、部屋の壁側に対し回転自在に設けられた基軸２２と、基軸２２に設けられ、基軸２２の回転に伴って回転し、先端部に吐出体２４が設けられた基管２３とを有していてもよい。この場合、筐体３０には、基軸２２を回転させる駆動部が設けられており、基軸２２は筐体３０の側壁３０ａに取り付けられている。また、基管２３は基軸２２に固定されており、基軸２２が回転することに伴って、基管２３も回転し、基管２３は、任意の角度で固定される。このように、基軸２２が回転するように構成することによって、基軸２２が自転する場合に比べ、基軸２２を回転させる簡易な駆動部を用意するだけで済む。従って、低コスト化することができる。
【００２１】
吐出体２４は、基管２３に対し垂直の方向に延びる筒状の部材であり、中央部２４ａにおいて、基管２３に対し回転自在に設けられている。中央部２４ａは、緻密な構造を有しており、液漏れが発生することを抑制している。また、吐出体２４には、複数の吐出部２５が設けられており、例えば６個設けられている。そして、複数の吐出部２５は、吐出体２４において中央部２４ａに対し非対称に設けられている。これにより、吐出体２４が回転したときに、周方向において吐出部２５の位置が変わり続けるため、吐出される水の着地点が固定されない。従って、均一に水を吐出することができる。また、複数の吐出部２５は、吐出体２４における中央部２４ａから両端部に配置されるに従って、吐出角度が外側に広がっている。即ち、吐出部２５は、図７に示すように、中央部２４ａに近い位置に設置されたものほど、吐出角度が床４に対し垂直に近く、両端部に近い位置に設置されたものほど、吐出角度が床４に対し外向きに傾斜して水平に近い。これにより、吐出体２４は、広範囲にわたって水等を吐出することができる。
【００２２】
また、吐出体２４は、両端部に水を噴出する噴出部２７が設けられており、噴出部２７からの水の噴出で回転するものである。このように、吐出体２４は、噴出部２７から噴出する水の推進力によって回転するが、これに限らず、電動によって回転してもよい。この噴出部２７から噴出する水も、洗浄装置１による洗浄に寄与するものである。なお、吐出体２４は、吐出部２５が傾斜して設けられ、吐出部２５から吐出する水の推進力によって回転するようにしてもよい。
【００２３】
図８は、本発明の実施の形態１における吐出部２５を示す斜視図である。図８に示すように、吐出部２５は、スリット状の吐出口２６を有している。吐出口２６は、スリット状であるため、水が扇状に吐出される。従って、広範囲にわたって水を吐出することができる。
【００２４】
次に、洗浄装置１による洗浄動作について説明する。洗浄装置１による洗浄は、例えば、先ず吹出口１４から洗浄剤が浴室２に散布され、その後、ノズル２０の吐出部２５から水が吐出されて、浴室２に散布された洗浄剤がすすがれる。なお、吐出部２５は、洗浄剤を吐出するように構成してもよい。この場合、洗浄装置１による洗浄は、先ず吐出部２５から洗浄剤が浴室２に吐出されて、その後、吐出部２５から水が吐出されて、浴室２に散布された洗浄剤がすすがれる。なお、洗浄装置１による洗浄は、吹出口１４及び吐出部２５から洗浄剤が浴室２に吐出されて、その後、吐出部２５から水が吐出されて、浴室２に散布された洗浄剤がすすがれるようにしてもよい。
【００２５】
図９、図１０は、本発明の実施の形態１におけるノズル２０及び筐体３０を示す斜視図であり、ノズル２０を床４側からみた図である。また、図９は、ノズル２０が収納されている図、図１０は、ノズル２０が出庫されている図である。図９に示すように、筐体３０は、直方体状をなしており、底辺には外側に延びるフランジ３０ｃが形成されている。このフランジ３０ｃは、天井３に接触して固定され、これにより、筐体３０が天井３に固定される。また、筐体３０は、側壁３０ａが底壁３０ｂから下方に延びており、側壁３０ａと底壁３０ｂとの間に、ノズル２０を格納する格納部３１を有している。なお、格納部３１は、収納空間１６の一部をなしている。底壁３０ｂには、温風、ミスト又は洗浄剤等が通る吹出開口３３が設けられており、吹出開口３３にダクト１５（図４参照）が接続されている。また、底壁３０ｂには、送風機（図示せず）に吸い込まれる空気の吸込口３４が設けられており、この吸込口３４から吸い込まれた空気は、排気口３５から排気用ダクト配管３６を通って排気される（図９の破線矢印）。
【００２６】
また、底壁３０ｂには、ノズル開口３２が設けられており、ノズル２０は、ノズル開口３２に挿入されて、筐体３０の内部に設けられた給水部３７（図示せず）に接続されている。なお、給水部３７は、温水を給水するものであってもよい。温水を用いて洗浄することによって、洗浄能力を高めることができる。なお、筐体３０にはポンプ（図示せず）が設けられており、ポンプはノズル２０と給水部３７との間に介在している。これにより、ノズル２０に給水される水の圧力を高めることができ、洗浄性能が向上する。図９に示すように、浴室２の洗浄が行われていない場合等において、ノズル２０は、収納空間１６における格納部３１に収納されている。一方、図１０に示すように、浴室２の洗浄が行われる場合等において、ノズル２０は、基管２３が基軸２２に対し回転して、収納空間１６における格納部３１から現出される。
【００２７】
前述の如く、洗浄剤は、吹出口１４又は吐出部２５から吐出されるものである。吹出口１４から洗浄剤が吐出される場合、洗浄装置１は、超音波振動子を有しており、洗浄剤は、超音波振動子によって霧化される。そして、送風機（図示せず）によって、霧化された洗浄剤が浴室２に散布される。これにより、洗浄するために必要な洗浄剤の量が低減されるため、洗浄するコストを削減することができる。一方、吐出部２５から洗浄剤が吐出される場合、水の代わりに、液状の洗浄剤が吐出部２５に送られて、吐出部２５から吐出される。なお、洗浄剤は、オゾン水又は電解水が用いられてもよい。この場合、筐体３０の内部には、オゾン水生成部又は電解水生成部が設けられる。これにより、洗浄剤の補充が不要となるため、メンテナンス性が向上し、ランニングコストを削減することもできる。
【００２８】
また、洗浄剤としてオゾン水が使用される場合、オゾン水は、ぬめり取りに有効であり、また、反応すると酸素に変わるため放水によるすすぎも不要であり、更に洗浄コストも削減でき、信頼性も高いが、霧化して散布すると洗浄効果が低下するため、吐出部２５から吐出して使用することが好ましい。なお、電解水としては、アルカリ性電解水と酸性電解水とがあり、アルカリ性電解水は、油脂の洗浄に有効であり、酸性電解水は、殺菌に有効である。洗浄剤として電解水が使用される場合、アルカリ性電解水で洗浄した後に酸性電解水で洗浄することによって殺菌効果が高まると共に、中和されて中性となり信頼性も高い。
【００２９】
洗浄装置１は、制御部５０を有しており、制御部５０は、ノズル２０の動作を制御するものである。制御部５０は、例えば操作部６の近傍に設けられており、信号線を介してノズル２０に接続されている。このように、制御部５０が、操作部６の近傍に設けられることにより、電気部品、回路基板等が、多湿環境における結露等による誤動作をすることが抑制され、また劣化することも抑制される。
【００３０】
図１１は、本発明の実施の形態１における制御部５０を示すブロック図である。図１１に示すように、制御部５０は、開閉検知部５１、人検知部５２又は点灯検知部５３から信号を受信すると、その信号の内容に基づいて、給水部３７に信号を送信する。具体的には、制御部５０は、開閉検知部５１において窓２ａ又は扉２ｂが閉じていることが検知された場合、吐出部２５から水が吐出されることを許容するものである。これにより、浴室２の外部に放水されることを抑制することができる。また、制御部５０は、開閉検知部５１において窓２ａ又は扉２ｂが開いていることが検知された場合、吐出部２５から水が吐出されることを停止するものである。これにより、浴室２の外部に放水されることを抑制することができる。
【００３１】
更に、制御部５０は、人検知部５２において部屋に人がいることが検知された場合、吐出部２５から水が吐出されることを停止するものである。これにより、人に放水されることを抑制することができる。更にまた、制御部５０は、点灯検知部５３において照明２ｃが消灯していることが検知された場合、吐出部２５から水が吐出されることを許容するものである。これにより、浴室２が使用されているときに放水されることを抑制することができ、信頼性が向上する。
【００３２】
次に、本実施の形態１に係る洗浄装置１の動作について説明する。図１２は、本発明の実施の形態１に係る洗浄装置１の動作を示すフローチャートである。図１２に示すように、制御が開始されると、先ず、制御部５０によって、浴室２等の部屋の窓２ａが閉じているか否かが判定される（ステップＳＴ１）。部屋の窓２ａが開いていることが判定された場合（ステップＳＴ１のＮｏ）、ステップＳＴ５に進み、吐出部２５からの吐出が停止される。一方、部屋の窓２ａが閉じていることが判定された場合（ステップＳＴ１のＹｅｓ）、制御部５０によって、部屋の扉２ｂが閉じているか否かが判定される（ステップＳＴ２）。部屋の扉２ｂが開いていることが判定された場合（ステップＳＴ２のＮｏ）、ステップＳＴ５に進み、吐出部２５からの吐出が停止される。一方、部屋の扉２ｂが閉じていることが判定された場合（ステップＳＴ２のＹｅｓ）、制御部５０によって、部屋に人がいるか否かが判定される（ステップＳＴ３）。
【００３３】
部屋に人がいることが判定された場合（ステップＳＴ３のＹｅｓ）、ステップＳＴ５に進み、吐出部２５からの吐出が停止される。一方、部屋に人がいないことが判定された場合（ステップＳＴ３のＮｏ）、制御部５０によって、部屋の照明２ｃが消灯しているか否かが判定される（ステップＳＴ４）。部屋の照明２ｃが点灯していることが判定された場合（ステップＳＴ４のＮｏ）、ステップＳＴ５に進み、吐出部２５からの吐出が停止される。これに対し、部屋の照明２ｃが消灯していることが判定された場合（ステップＳＴ４のＹｅｓ）、吐出部２５からの吐出が許容される（ステップＳＴ６）。即ち、既に吐出部２５から水等が吐出されている場合、その吐出は継続される。また、これから吐出部２５から水等が吐出されようとしている場合、その吐出が開始される。
【００３４】
なお、ステップＳＴ１、ステップＳＴ２、ステップＳＴ３、ステップＳＴ４は、連続して実施されているが、個別に実施されてもよい。即ち、部屋の窓２ａが閉じている場合に、直ちに吐出が許容されてもよいし、部屋の扉２ｂが閉じている場合に、直ちに吐出が許容されてもよいし、部屋に人がいない場合に、直ちに吐出が許容されてもよいし、部屋の照明２ｃが消灯している場合に、直ちに吐出が許容されてもよい。また、これらのステップＳＴ１、ステップＳＴ２、ステップＳＴ３、ステップＳＴ４は、適宜組み合わせて実施されてもよく、いずれの順序であってもよい。
【００３５】
このように、浴室２の状態が確認された後、扉２ｂをロックするロック部が設けられている場合、制御部５０は、扉２ｂをロックするようにロック部を制御して、扉２ｂを開かないようにする。その後、吹出口１４から洗浄剤が散布され、吐出部２５から水が吐出されてすすがれる。そして、吹出口１４から温風が送風され、また送風機による換気が行われて、浴室２及び洗浄装置１の乾燥が行われる。これにより、洗浄が終了し、制御部５０は、扉２ｂのロックを解除するようにロック部を制御して、扉２ｂを開閉自在にする。なお、洗浄剤の散布及び水の吐出が実施されているときにも、浴室２の状態が管理されており、例えば、窓２ａ又は扉２ｂ等が開いた場合、人が浴室２に入室した場合等には、洗浄剤の散布及び水の吐出が停止される。
【００３６】
次に、本実施の形態１に係る洗浄装置１の作用について説明する。ノズル２０は、当該位置が変更自在に支持されている。このように、ノズル２０は、移動するため、浴室２等の部屋の全体に放水することができる。このため、洗浄装置１は、洗浄性能を高めることができる。また、ノズル２０は、収納空間１６から開口部１２を通ってカバー１０の外部に露出する。よって、ノズル２０は、収納空間１６に収納されている場合、浴室２等の部屋の内部から見えない。このため、洗浄装置１は、部屋の意匠性を損なわない。また、洗浄装置１は、ユニット化されているため、既存の浴室２等の部屋に設置することが容易である。このように、洗浄装置１は、工事性が良好であり、工事コストを削減することもできる。
【００３７】
また、ノズル２０の基管２３は、基軸２２に対し回転自在に設けられているため、吐出体２４の吐出部２５から水等が吐出される際、基管２３が揺動することができる。このため、浴室２等の部屋において、洗浄する範囲が拡大され、洗浄性能が向上する。更に、ノズル２０の基管２３は、基軸２２に対し任意の角度で静止することが可能である。このため、浴室２等の部屋においてひどく汚れている箇所がある場合、その箇所にノズル２０を向けて、その箇所を集中して洗浄することができる。
【００３８】
また、吐出体２４は、基部２１の基管２３に対し回転自在に設けられているため、浴室２等の部屋の広範囲にわたって吐出部２５から水等を吐出することができる。このため、洗浄性能が向上する。なお、吐出体２４は、噴出口から水が噴出されて発生する推進力によって回転するため、吐出体２４を回転させるための装置が不要である。このため、洗浄装置１を小型化することができ、また低コスト化することができる。
【００３９】
更に、洗浄装置１は、制御部５０によって、部屋に人がいたり、窓２ａ又は扉２ｂが開いたりしているときに、ノズル２０から水等が吐出されることが停止される。このため、水等が人にかかったり、水等が室外に放出されたりといった誤操作、誤動作を抑制することができる。
【００４０】
なお、ノズル２０は、基軸２２、基管２３及び吐出体２４を有し、基管２３が基軸２２に対し回転自在に設けられ、吐出体２４が基管２３に対し回転自在に設けられている。このように、ノズル２０は、基軸２２と基管２３とが回転軸となる二軸回転機能を有しているが、これに限らず、一軸回転機能のみを有していてもよく、三軸回転機能を有していてもよい。更に、ノズル２０は、空間全体を移動自在になるように構成してもよい。
【符号の説明】
【００４１】
１  洗浄装置、２  浴室、２ａ  窓、２ｂ  扉、２ｃ  照明、２ｄ  浴槽、３  天井、４  床、５  壁、６  操作部、７  報知部、１０  カバー、１１  折り曲げ部、１１ａ  端部、１２  開口部、１３  カバー扉、１４  吹出口、１５  ダクト、１６  収納空間、２０  ノズル、２１  基部、２２  基軸、２３  基管、２４  吐出体、２４ａ  中央部、２５  吐出部、２６  吐出口、２７  噴出部、３０  筐体、３０ａ  側壁、３０ｂ  底壁、３０ｃ  フランジ、３１  格納部、３２  ノズル開口、３３  吹出開口、３４  吸込口、３５  排気口、３６  排気用ダクト配管、３７  給水部、５０  制御部、５１  開閉検知部、５２  人検知部、５３  点灯検知部。
【図１】
2016083620.tif 000003
【図２】
2016083620.tif 000004
【図３】
2016083620.tif 000005
【図４】
2016083620.tif 000006
【図５】
2016083620.tif 000007
【図６】
2016083620.tif 000008
【図７】
2016083620.tif 000009
【図８】
2016083620.tif 000010
【図９】
2016083620.tif 000011
【図１０】
2016083620.tif 000012
【図１１】
2016083620.tif 000013
【図１２】
2016083620.tif 000014